(57)【要約】      （修正有）【課題】使用者自身が容易に装着でき、装着状態で使用者の母指の痙縮を適宜の強さで阻止することにより、装着状態においても手を使って物を容易につかむことができ、症状の改善を図ることができる母指対立装具を提供する。【解決手段】一端側２Ａに母指挿入部５、他端側２Ｂに掌根巻付け部６を形成してなる伸縮性の基布２と、この基布２の母指挿入部５に母指１０を挿入し且つ掌根巻付け部６を手首１１に巻付けた状態において、母指１０の甲側の基布２に取付けられ、母指１０に巻付けて引っ張りながら再び甲側の基布２に取付けられることにより母指１０を他の指１２と対立位に保持させる伸縮性の帯状体からなる母指ベルト７とを備えてなる。【選択図】図７
2018175237.tif 000002
【特許請求の範囲】
【請求項１】
一端側に母指挿入部、他端側に掌根巻付け部を形成してなる伸縮性の基布と、この基布の母指挿入部に母指を挿入し且つ掌根巻付け部を手首に巻付けた状態において、母指の甲側の基布に取付けられ、母指に巻付けて引っ張りながら再び甲側の基布に取付けられることにより母指を他の指と対立位に保持させる伸縮性の帯状体からなる母指ベルトとを備えてなることを特徴とする母指対立装具。
【請求項２】
前記母指ベルトは雄面ファスナであり、基布の表面にはこの雄面ファスナが取り付け可能な雌面ファスナが形成してある請求項１に記載の母指対立装具。
【請求項３】
前記基布の掌根巻付け部は手首の掌側に当接する掌根当接部と、手首に巻付けられた掌根巻付け部を掌根当接部に仮付けするための掌根留め部と、掌根巻付け部を引っ張りながら手首に巻付けた状態を保持する伸縮性の帯状体からなる掌根締めベルトとを備える請求項１または請求項２に記載の母指対立装具。
【請求項４】
前記母指挿入部は母指を挿入可能な環状部を形成するように両端が基布の裏面側に縫合された帯状体からなる母指挿入帯を備える請求項１〜請求項３の何れかに記載の母指対立装具。
【請求項５】
一端部が前記基布の甲側に取付けられて引っ張りながら母指と示指の間を通して手掌部および手の甲側に巻付けられる四指巻付布と、この四指巻付布の他端部に取付けられて前記巻付け状態を保持させるように引っ張りながら基布の甲側に取付けられる伸縮性の帯状体からなる四指ベルトとを備える請求項１〜請求項４の何れかに記載の母指対立装具。
【請求項６】
前記四指巻付布の一端側の母指と示指の間に対応する位置において、母指と示指の間の母指球と掌面の間の曲面に沿わせるタックを形成してあり、四指巻付布の手掌に対応する部分に取付けられて、その平面形状に対応する大きさの平面を保持する手掌支持パッドを備える請求項５に記載の母指対立装具。
【発明の詳細な説明】
【技術分野】
【０００１】
本発明は、脳および中枢神経の障害等によって発症する指の屈曲麻痺によって、主に母指の痙縮を軽減し、母指を示指から小指までの四指と対立する位置に付勢する母指対立装具に関する。
【背景技術】
【０００２】
図１１は、特許文献１に示される従来の母指対立装具の構成を示すものである。図１１に示すように、母指対立装具９０は前腕から中手指節間関節の範囲に当てがう前腕支持部９１と、近位指節間関節までの指に沿う指支持部９２と、それぞれの指の遠位指節間関節付近に沿うロールバー９３と、ロールバー９３を指支持部９２に連結するリンク９４と、リンク９４の先端に連結したＵ状のリンク９５と、リンク９５と前腕支持部９１とを連結するターンバックル９６と、この母指対立装具９０を前腕、手に固定するバンド９７とからなる。前記母指対立装具９０を用いることにより、母指の痙縮を予防し、変形の矯正を行うことができる。
【先行技術文献】
【特許文献】
【０００３】
【特許文献１】特開平１１−３１６９２５号公報
【発明の概要】
【発明が解決しようとする課題】
【０００４】
しかしながら、従来の母指対立装具９０は使用者の腕や手掌部の大部分に当接するプラスチック製の前腕支持部９１や指支持部９２を必要としており、また、指支持部に連接するリンク９４、ロールバー９３，リンク９５に加えて、リンク９５に連結されるターンバックル９６を必要としており、これらの各部材９１〜９６の大部分が使用者の手の掌側に設けられているので、使用者が手を使用して物をつかむ動作を阻害するものとなっていた。また、各部材９１〜９６の位置関係がほぼ固定されているので、可動範囲が少ないという問題もある。
【０００５】
さらに、基本的に変形しない各部材９１〜９６の装着状態では使用者に不快感を与えるものであり、身体に直接触れる部分に柔らかい素材のクッション部材を形成したとしても長時間にわたる装着には適さないという問題もあるだけでなく、変形しない大きな部材を含む母指対立装具９０は洗濯できないので、清潔な状態を保つことが困難であった。
【０００６】
加えて、使用者の症状は一様ではなく、母指の痙縮の度合いも人によって異なっていることに加え、同じ使用者の病状も進行度合いは変化するものであるが、従来の母指対立装具９０では、症状の重さに関係なく、所定の矯正を施すものであるから、従来の母指対立装具９０を用いることができる期間は短かくならざるを得なかった。
【０００７】
本発明は上述の事柄を考慮に入れてなされたものであり、使用者自身が容易に装着でき、装着状態で使用者の母指の痙縮を適宜の強さで阻止することにより、装着状態においても手を使って物を容易につかむことができ、症状の改善を図ることができる母指対立装具を提供することを目的とする。
【課題を解決するための手段】
【０００８】
上記問題点を解決するために、第１発明は、一端側に母指挿入部、他端側に掌根巻付け部を形成してなる伸縮性の基布と、この基布の母指挿入部に母指を挿入し且つ掌根巻付け部を手首に巻付けた状態において、母指の甲側の基布に取付けられ、母指に巻付けて引っ張りながら再び甲側の基布に取付けられることにより母指を他の指と対立位に保持させる伸縮性の帯状体からなる母指ベルトとを備えてなることを特徴とする母指対立装具を提供する。（請求項１）
【０００９】
前記基布は伸縮性を備える布であって、例えばナイロン、ポリエステル、ポリウレタンなどの熱可塑性樹脂を用いた化学繊維または合成繊維などからなるストレッチ生地であることにより、母指挿入部に母指を挿入させた状態で掌根巻付け部を使用者の手首に巻付けるときに、母指を手の甲側に引っ張りながら、取付けることができるので好ましい。この基布は使用者の母指から手首に至る部分に当接するように自在に変形するので、使用者は母指対立装具の取付状態において不快感を感じることがなく、装着状態においても日常生活を阻害することなく手を使うことが可能である。
【００１０】
また、基布が厚手の布であることにより、使用者の手を保護することも可能となり、手の保温を行なうことができるだけでなく、基布自身の伸縮性によっても母指を他の四指と対立位に保持することができる。
【００１１】
前記母指挿入部は母指を挿入して取付けることができる部分を意味しており、基布に設けた貫通孔によるものであっても、別の布または基布を折り返して縫い付け、または接着によって形成されたものであっても良い。また、母指挿入部には母指を挿入する位置を示す表示を行なって、使用者が母指対立装具を容易に装着できるようにしてもよい。
【００１２】
前記掌根取付部は使用者の手首に巻付けられることにより母指挿入部に挿入された母指を手の甲側に引っ張りながら手首に取付けるものであり、例えば、基布の他端部に連接されて表面に着脱自在に取付けらられる面ファスナーを備えるものであることにより、使用者が自らの手に容易に装着することができるので好ましい。しかしながら、掌根取付部は基布の他端側に取付けられた帯状体とこの帯状体を締付け可能とするバックルとを備えるものであっても、フックやボタンによって取付けられるものであってもよい。
【００１３】
前記母指ベルトは基布の甲側に取付けられる伸縮性の帯状体であるから、母指に巻付けて引っ張りながら再び甲側の基布に取付けられることにより、母指にこれを手の甲側に引っ張る張力の強さを任意に調節して母指を他の４指と対立位に保持させることができる。また、使用者は母指対立装具を装着した状態で母指を前記張力に逆らって手の掌側に傾倒させることも可能である。
【００１４】
つまり、前記張力の強さを使用者が手を使って物を掴むのに最適な強さに調節するように母指ベルトを基布に取付けることが可能となり、この張力の調節を使用者自身が容易に調節でき、また、変更することができる。なお、母指ベルトはその基端部が最初から基布に縫合または接着によって取付けられているものであってもよいが、母指ベルトの基端部も遊端部も基布に着脱自在に取付けられるものであってもよく、その取付け方法も、面ファスナ、バックル、フック、ボタンなど任意の方法が選択可能である。
【００１５】
前記基布および母指ベルトは何れも基本的に布および帯であるから、使用感が自然であるだけでなく、他の衣類と共に洗濯できるので清潔な状態を保つことが容易である。さらに、病状の進行状況によっては母指に加える力の強さを容易に調節できるので、リハビリの進行状況に合わせて母指対立装具による補助を徐々に弱くしていくことも可能である。
【００１６】
前記母指ベルトは雄面ファスナであり、基布の表面にはこの雄面ファスナが取り付け可能な雌面ファスナが形成してある場合（請求項２）には、母指ベルトを基布のどの位置にも取付けることができるので、使用者による操作が容易であると共に、母指に掛ける力の強さおよび力の方向も容易に微調整することが可能となり、使用者が母指対立装具を装着したままの除隊で手を使って作業を行なうのにちょうど良い加減に装着できる。
【００１７】
前記基布の掌根巻付け部は手首の掌側に当接する掌根当接部と、手首に巻付けられた掌根巻付け部を掌根当接部に仮付けするための掌根留め部と、掌根巻付け部を引っ張りながら手首に巻付けた状態を保持する伸縮性の帯状体からなる掌根締めベルトとを備える場合（請求項３）には、掌根当接部を使用者の手首の母指球から手根部にかけて当接させ、この手首に基布の掌根取付部を巻付けた状態で、この掌根取付部に掌根留め部を仮付けすることにより、手首への掌根巻付け部の巻付け状態を仮に保持させた状態で、さらに掌根締めベルトを引っ張って掌根巻付け部を引っ張りながら手首に巻付けることができる。
【００１８】
伸縮性の帯状体からなる掌根締めベルトは使用者の手首に掌根留め部と掌根巻付け部をしっかりと固定することが可能であると共に、使用者が不快感を感じるほど締付けることがないように自ら調節することが可能であるから、母指対立装具を装着した状態で長時間生活することを可能とし、使用者は日常生活において母指対立装具を装着した手を使うことを可能としている。
【００１９】
前記掌根留め部は手首の掌側に当接する掌根当接部に着脱自在に取付けられるように、その面は掌根巻付け部を掌根当接部に軽く取付けることができる程度の面積となるように形成された雄面ファスナであり、掌根当接部に仮留めできる必要最小の大きさであることが好ましく、これによって掌根巻付け部を手首に巻付けた状態で掌根当接部の任意の位置に掌根留め部を仮留めすることができるので、装着が極めて容易である。同様に掌根締めベルトは掌根巻付け部の任意の部分に取付けられる面ファスナを備えるものであることが好ましい。
【００２０】
前記母指挿入部は母指を挿入可能な環状部を形成するように両端が基布の裏面側に縫合された帯状体からなる母指挿入帯を備える場合（請求項４）には、母指挿入帯によって母指を挿入させて母指を対立位に保持させる張力をかけることができる必要十分な大きさと強度を備える環状部を容易に形成することができる。
【００２１】
一端部が前記基布の甲側に取付けられて引っ張りながら母指と示指の間を通して手掌部および手の甲側に巻付けられる四指巻付布と、この四指巻付布の他端部に取付けられて前記巻付け状態を保持させるように引っ張りながら再び四指巻付布に取付けられる伸縮性の帯状体からなる四指ベルトとを備える場合（請求項５）には、基布の甲側に取付けられた四指巻付布を四指に巻付けて四指ベルトを四指巻付布に取付けることにより、示指から小指までの４本の指が四指巻付布のまき付けにより伸ばされるので、これらが痙縮することを防止できる。つまり、使用者の手の痙縮が４本の指にまで及ぶ場合には四指巻付布を取付けることができる。
【００２２】
また、使用者が四指巻付布による巻付け力に逆らって４本の指を曲げようとするときには、四指巻付布が曲がることにより、指を曲げることができるので、使用者は母指対立装具を装着した状態で手を使って物を掴むことができる。なお、四指ベルトを巻付ける強さを変えることにより４本の指を伸ばす方向に加える力を加減することも可能である。
【００２３】
前記四指巻付布の一端側の母指と示指の間に対応する位置において、母指と示指の間の母指球と掌面の間の曲面に沿わせるタックを形成してあり、四指巻付布の手掌に対応する部分に取付けられて、その平面形状に対応する大きさの平面を保持する手掌支持パッドを備える場合（請求項６）には、タックの形成によって母指と示指の間の三次元曲面に四指巻付布をほぼ沿うように配置させることができる。また、手掌支持パッドにより四指巻付布の掌側の平面形状を保つことができるので、それだけ強い力で４本の指に伸ばす方向の力を加えることができる。
【発明の効果】
【００２４】
上述したように、本発明によれば、使用者自身が容易に装着できると共に、使用者の母指が痙縮することを適度に防止でき、装着状態においても手を自由に使って物をつかむことができる母指対立装具を提供する。また、四指巻付布によって４指の痙縮も防止することができる。つまり、使用者の状況に合わせた適度な力を掛けることにより、使用者の症状の進行状況または改善状況に合わせて母指対立装具によってかける張力の大きさを自在に変更することができる。
【図面の簡単な説明】
【００２５】
【図１】本発明の第１実施形態に係る母指対立装具の構成を示す平面図である。
【図２】前記母指対立装具の基布を装着する第１状態を示す斜視図である。
【図３】前記基布を装着する第２状態を示す斜視図である。
【図４】前記基布を装着する第３状態を示す斜視図である。
【図５】前記母指対立装具の四指巻付布を装着する第１状態を示す斜視図である。
【図６】前記四指巻付布を装着する第２状態を示す斜視図である。
【図７】前記四指巻付布を装着する第３状態を示す斜視図である。
【図８】第２実施形態にかかる母指対立装具の構成を示す平面図である。
【図９】前記母指対立装具の基布を装着する状態を示す斜視図である。
【図１０】前記母指対立装具の母指巻付布を装着する状態を示す斜視図である。
【図１１】従来の母指対立装具の攻勢を示す斜視図である。
【発明を実施するための形態】
【００２６】
以下、本発明の第１実施形態の母指対立装具１の構成を図１〜図７に従って説明する。図１に示すように、母指対立装具１は母指に取付けられて母指を他の四指との対立位に保持させる基布２と、四指に巻付けられてこれを母指との対立位に保持させる四指巻付布３と、この四指巻付布３に取付けられる手掌支持パッド４とを備える。母指対立装具１は基布２のみによって形成されたものであってもよいが、基布２のポイントＰ１に手掌支持パッド４のポイントＰ２が取り付けられることにより、手掌支持パッド４を組合わせて、痙縮を更に効果的に防止することが可能となる。
【００２７】
図１，図２に示すように、前記基布２は化学繊維または合成繊維などからなるストレッチ生地からなり、その一端側２Ａに母指挿入部５、他端側２Ｂに掌根巻付け部６を形成してなり、この基布２の母指挿入部５に母指１０を挿入し且つ掌根巻付け部６を手首１１に巻付けた状態において、母指１０の甲側の基布２に取付けられ、母指１０に巻付けて引っ張りながら再び甲側の基布２に取付けられることにより母指１０を他の指１２〜１５と対立位に保持させる伸縮性の帯状体からなる母指ベルト７とを備える。なお、Ｓは例えば母指の挿入位置を示すサインである。
【００２８】
前記母指挿入部５の形状は、基布２の一端側２Ａの一角に縫い付けられて、母指を挿入可能な環状部を形成するように両端が基布２の裏面側に縫合された帯状体からなる母指挿入帯であって、この母指挿入帯によって母指を挿入するために必要十分な大きさであるとともに、母指に引っかかることにより十分な力を加えることができるように構成している。
【００２９】
図３，図４に示すように、前記掌根巻付け部６は手首１１の掌側に当接する掌根当接部６Ａと、手首１１に巻付けられた掌根巻付け部６を掌根当接部６Ａに仮付けするための掌根留め部６Ｂと、掌根巻付け部６を引っ張りながら手首１１に巻付けた状態を保持する伸縮性の雄面ファスナの帯状体からなり基布２の他端部２Ｂに取付けられる掌根締めベルト６Ｃとを備える。
【００３０】
また、前記母指ベルト７は雄面ファスナであり、基布２の表面にはこの雄面ファスナが取り付け可能な雌面ファスナが形成してあることにより、図４に示すように、母指に巻き付けた母指ベルト７を引っ張りながら基布２の任意の面に取り付けることができる。
【００３１】
図４に示すように、前記四指巻付布３は、一端部３Ａが前記基布２の甲側に取付けられて矢印Ａに示すように、引っ張りながら母指１０と示指１２の間を通して手掌部および手の甲側に巻付けられるものであり、この矢印Ａ方向に加える力の強さを調節することにより、母指１０に加える力を自在に調節することができる。
【００３２】
前記四指巻付布３は、その一端側３Ａに取り付けられて基布２の甲側の任意の部位に着脱自在に貼り付けられる雄面ファスナーを形成してなる帯状体の甲取付面ファスナ８と、四指巻付布３の他端部に取付けられて前記巻付け状態を保持させるように引っ張りながら基布２の甲側に取付けられる伸縮性の帯状体からなる四指ベルト９とを備え、四指巻付布３の手掌に対応する部分に取付けられて、その平面形状に対応する大きさの平面を保持する手掌支持パッド４とを備える。また、８Ｃは四指巻付布３の一端側３Ａに形成したタックである。
【００３３】
本発明の母指対立装具１はこの状態であっても使用可能であるが、図５〜図７に示す四指巻付布３および手掌支持パッド４を用いることにより、より強力に痙縮を防止できる。
【００３４】
図５に示すように、甲取付面ファスナ８を基布２の甲側に貼り付け、タック３Ｃを母指１０と示指１１の間に位置させて掌側に引っ張りながら四指１２〜１５に巻き付け、図６に示すように、掌側に位置する四指巻付布３に手掌パッド４を取り付ける。このとき、手掌支持パッド４はその裏面側に雄面ファスナ、表面側に雌面ファスナを形成してなる板状体であることが好ましく、これによって、使用者にとって邪魔になることがなく、四指１２〜１５をしっかりと抑えることができる位置に手掌支持パッド４を配置することができる。
【００３５】
図７に示すように、四指１２〜１５に四指巻付布３を巻付けた後に、その他端側に連接される四指ベルト９を矢印Ｂに示す方向に引っ張りながら基布２に取付けることにより、使用者は任意の強さで四指１２〜１５を母指１０に対する対立位に位置させることができる。
【００３６】
上述の母指対立装具１によれば、使用者は容易に自分の手に母指対立装具１を装着可能であり、使用者が必要とする力加減で母指１０と四指１２〜１５の対立位を保たせることができる。また、母指対立装具１を装着している状態であっても使用者は手を使って物を掴むことができ、装着状態においても固い樹脂や金属が肌に当接することがないので、それだけ使用時のストレスがなく、それだけ長時間にわたって装着した状態で手を使用できるので、手の機能回復リハビリを促進することができる。
【００３７】
また、基本的に柔らかい布からなる母指対立装具１は汚れたら他の衣類と共に選択可能であるから、清潔な状態を容易に保つことができる。さらに、使用者の痙縮の症状が改善されると、手掌支持パッド４を用いなくても手を使用できるようになることもあり、四指巻付布３そのものが不要となることも考えられ、母指ベルト７が不要となり、最終的には母指対立装具１を付けなくても日常生活で手を使用できるようになることも考えられる。つまり、リハビリの各段階において目に見える結果を残しながら、機能改善を図ることができる。
【００３８】
図８は第２実施形態の母指対立装具２０の構成を示す図である。図８において、図１〜７と同じ符号を付した部材は同一又は同等の部材であるから、重複説明を省略する。本実施形態において、母指挿入部２１は一端側２Ａの基布２を折り畳んで縫合することによって形成した環状部であり、掌根巻付け部６はボタン６Ｄ，６Ｅおよびフック６Ｆ，６Ｇによって形成してある。
【００３９】
同様に母指ベルト７は基布２を延設して形成した帯状体２２の先端部にフック７Ａを取付けることによって形成されたものである。また、７Ｂは前記フック７Ａを係合するフックであり、Ｓ１〜Ｓ６は装着順序を示すサインである。
【００４０】
また、８Ａ，８Ｂは四指巻付布３の一端側３Ａを基布２の甲側に取付けるフックであり、９Ａ，９Ｂは四指１２〜１５に巻付けた四指巻付布３の他端側３Ｂを基布２に取付けるフックである。ボタン６Ｄ，６Ｅおよびフック６Ｆ，６Ｇ、７Ａ，７Ｂ、９Ａ，９Ｂによる連結や締め付けは安定しており、何度も着脱する場合においても堅牢性を保つことができるので、母指対立装具２０を長期間にわたって使用できる利点がある。加えて、基本的に全ての部分を基布２および四指巻付布３を用いて形成できるので、製造コストを必要最小限に抑えることができる。装着順序を示すサインＳ１〜Ｓ５を設けることにより、使用者は母指対立装具２０になれない状況において難なくこれを装着できる。
【００４１】
本実施形態のようにボタン６Ｄ，６Ｅおよびフック６Ｆ，６Ｇ、７Ａ，７Ｂ、９Ａ，９Ｂによって各部を連結する場合であっても、母指対立装具２０によって母指１０と四指１２〜１５の対立位を保たせることができる。なお、複数のフック６Ｇ、７Ｂ，９Ｂを設けることにより、フック６Ｆ，６Ｇ、７Ａ，７Ｂ、９Ａ，９Ｂによる各部の締付け力を段階的に調節することができるので、使用者は母指対立装具２０の装着状態で快適に手を使うことができる。
【００４２】
上述のように本発明の母指対立装具１，２０は種々の変形が可能であり、第１実施形態と第２実施形態の各部の構成を自在に組み合わせて使用可能であることは言うまでもない。また、前記フックや面ファスナによる取付けの代わりにベルトとバックルを用いることも容易に行うことができる変形であることは言うまでもない。
【図１】
2018175237.tif 000003
【図２】
2018175237.tif 000004
【図３】
2018175237.tif 000005
【図４】
2018175237.tif 000006
【図５】
2018175237.tif 000007
【図６】
2018175237.tif 000008
【図７】
2018175237.tif 000009
【図８】
2018175237.tif 000010
【図９】
2018175237.tif 000011
【図１０】
2018175237.tif 000012
【図１１】
2018175237.tif 000013